(57)【要約】【課題】      形状保持性を有し、小ロットの生産が可能であり、且つ立体的であり、衣服や袋物等のような布製品に縫い付けるのに適した装飾用テープを提供する。【解決手段】  複数枚のテープ状物２１、２２、２３と塑性変形性プラスチック製の線材３とから構成される装飾用テープである。各テープ状物２１、２２、２３は一側縁２ａが直線状であって、この直線状側縁が揃えられた状態で複数枚のテープ状物２１、２２、２３が重ね合されられており、直線状側縁２ａに沿って線材３が縫着されている。複数枚のテープ状物のうち、外側になるテープ状物２１または２３が開かれた状態で被縫着物に縫い付けられる。【選択図】    図１
0003127172.tif 000002
【実用新案登録請求の範囲】
【請求項１】
複数枚のテープ状物と塑性変形性プラスチック製の線材とから構成される装飾用テープであり、前記各テープ状物は一側縁が直線状であって、該直線状側縁が揃えられた状態で前記複数枚のテープ状物が重ね合されられており、前記直線状側縁に沿って前記線材が縫着されていることを特徴とする装飾用テープ。
【請求項２】
前記テープ状物の枚数が３枚以上であることを特徴とする請求項１記載の装飾用テープ。
【請求項３】
前記複数枚のテープ状物のうち、外側になるテープ状物が開かれた状態で被縫着物に縫い付けられることを特徴とする請求項１または請求項２記載の装飾用テープ。
【請求項４】
前記複数枚のテープ状物のうち、少なくとも１枚がレース生地からなることを特徴とする請求項１〜３のいずれか１項に記載の装飾用テープ。
【請求項５】
前記複数枚のテープ状物のうち、１枚がひだを有するものであることを特徴とする請求項１〜４のいずれか１項に記載の装飾用テープ。
【請求項６】
ひだを有するテープ状物、該ひだ付きテープ状物の幅よりも細幅のテープ状物、および該細幅のテープ状物よりも、幅の狭い塑性変形性プラスチック製テープまたは直径の小さい塑性変形性プラスチック製線材とから構成される装飾用テープであり、前記ひだ付きテープ状物の中央部分において前記細幅テープ状物が前記塑性変形性プラスチック製テープまたは線材を覆っており、前記細幅テープ状物の両側縁部が２本針片面飾り縫いにおける針糸により前記ひだ付きテープ状物に縫着され、該２本針片面飾り縫いにおける振り糸が前記ひだ付きテープ状物の裏面に現われていることを特徴とする装飾用テープ。
【請求項７】
前記ひだ付きテープ状物はひだがミシン目で予め固定されていることを特徴とする請求項５または請求項６記載の装飾用テープ。
【考案の詳細な説明】
【技術分野】
【０００１】
本考案は衣服に縫いつけたり或いは手芸用に用いたりする装飾用テープに関するものであり、特に、形状保持性（賦形性）を有する装飾用テープに関するものである。
【背景技術】
【０００２】
従来、衣服の縁飾りや衣服の縫付け飾りとして種々の装飾用テープが提案されている。
【０００３】
また、最近では、種々の手芸品やアクセサリーなどの製作に適している形状保持性を有する手芸用のテープが提案されている。
【０００４】
例えば、特許文献１（特開平７−３００７５０号公報）や特許文献２（実開平２−１１５５９２号公報）には、形状保持性を有する可撓性の線状芯体を細巾織物の中央部に挿通している装飾リボンが提案されている。また、特許文献３（実用新案登録第３０９７０４５号公報）には、装飾リボンの側縁部を折返して袋部を形成して、そこに形状保持性を有する可撓性の線条体を挿入したり、装飾リボンの側縁部に沿って形状保持性を有する可撓性の線条体を織込むことが提案されている。
【０００５】
特許文献４（特開２００４−１４３６３６号公報）には、太めの繊維と、形状保持性を有する可撓性の熱可塑性樹脂製の糸状物とをレース状に編成または織成した装飾用テープが提案されている。
【特許文献１】特開平７−３００７５０号公報
【特許文献２】実開平２−１１５５９２号公報
【特許文献３】実用新案登録第３０９７０４５号公報
【特許文献４】特開２００４−１４３６３６号公報
【考案の開示】
【考案が解決しようとする課題】
【０００６】
前述したように、特許文献１〜４に開示されているような装飾用テープは何れも織機によって織られたり、或いはレース編機により編成されたりするものであるので、１つの製品のロットが大きくなるという問題がある。しかも、特許文献１〜３のように製織により袋部を形成し、その後に可撓性の線条体を挿入することは非常に手間が掛ることである。
【０００７】
また、特許文献１〜４に開示されているテープ（リボン）は、テープ自体は扁平であるが、曲げたり捻ったりすることができるのでアクセサリーや手芸品等を立体的に製作することができる。しかし、衣服に縫い付ける場合は、テープ自体が扁平なリボン状であるので、立体的でなく、ボリューム感や華やかさを出すことができない。
【０００８】
なお、特許文献１には、芯体を挿通したリボン本体を使用前はフリル部を有しない一般的なリボンと同様にロール状に巻いておき、使用直前にリボン本体を縮めてフリル部を形成するので常にフリル部が形成されているものよりも取扱いが容易であると記載されている。アクセサリーや手芸品を製作する場合は、使用直前にリボン本体を縮めてフリル部を形成するようにすることも可能であろう。しかし、工業的に衣服を製造する場合は、いちいちフリルを形成しながら布地にフリル付きテープを縫い付けていくことは、手間も掛る上、フリルが固定されていないのでフリルの形状、状態も一様にはならず、実際上は不可能である。
【０００９】
本考案は形状保持性を有し、小ロットの生産が可能であり、且つ立体的である装飾用テープを提供することを目的とする。特に、衣服や袋物等のような布製品に縫い付けるのに適した装飾用テープを提供することを目的とする。
【課題を解決するための手段】
【００１０】
本考案によれば、複数枚のテープ状物と塑性変形性プラスチック製の線材とから構成される装飾用テープであり、前記の各テープ状物は一側縁が直線状であって、該直線状側縁が揃えられた状態で前記複数のテープが重ねられており、前記直線状側縁に沿って前記線材が縫着されていることを特徴とする装飾用テープにより前記目的を達成する。
【００１１】
前記テープ状物の枚数が３枚以上であることが好ましい。また、被縫着物に縫い付けた状態では外側になるテープ状物を開いた状態とすることが好ましい。
【００１２】
複数枚のテープ状物のうち、少なくとも１枚がレース生地であることが好ましく、また、１枚をひだを有するものとすることが好ましい。
【００１３】
本考案によれば、ひだを有するテープ状物、該ひだ付きテープ状物の幅よりも細幅のテープ状物、および該細幅のテープ状物よりも、幅の狭い塑性変形性プラスチック製テープまたは直径の小さい塑性変形性プラスチック製線材とから構成される装飾用テープであり、前記ひだ付きテープ状物の中央部分において前記細幅テープ状物が前記塑性変形性プラスチック製テープまたは線材を覆っており、前記細幅テープ状物の両側縁部が２本針片面飾り縫いにおける針糸により前記ひだ付きテープ状物に縫着され、該２本針片面飾り縫いにおける振り糸が前記ひだ付きテープ状物の裏面に現われていることを特徴とする装飾用テープにより前記目的を達成する。
【００１４】
本考案の装飾用テープに使用するひだ付きテープ状物は、他のテープ状物と組合わせる前に、予めひだがミシン目で固定されているものを使用する。
【考案の効果】
【００１５】
本考案によれば、複数枚のテープ状物の一側縁が直線状であって、この直線状側縁を揃えた状態に重ね合わせて、その箇所に塑性変形可能な線材を縫着するので、縫着がオーバーロックミシンなどの縁かがり縫いを利用することにより簡単に行える。従って、ミシンにより製造できるので特許文献１〜４に開示されているような織成することによって製造するものに比較して極めて小ロットで生産することができる。
【００１６】
更に、複数枚のテープ状物の組合わせを変えるだけで、種々の装飾用テープを簡単に作ることができる。例えば、テープ状物の１枚をレースにしたり、色違いの生地としたり、或いはひだをつけたテープとしたりすることができ、これらの組合わせにより非常に変化に富んだ装飾用テープとすることができる。またテープ状物の枚数を２枚ではなく３枚以上に（薄い生地であれば４〜６枚と）増やすことにより、より立体感のある装飾用テープとすることができる。特に、ひだを有するテープ状物を中間に挟んで使用すると、立体的な装飾用テープとなる。
【００１７】
また、本考案によれば、ひだを有するテープ状物と、該ひだ付きテープ状物の幅よりも細幅のテープ状物との間に、塑性変形性プラスチック製のテープまたは線材を配置して、２本針二重環縫いミシンにより細幅テープ状物の両側縁部を２本の針糸で同時にひだ付きテープの中央部分に縫着することにより、簡単に本考案の装飾用テープを製造できる。従って、ミシンにより製造できるので極めて小ロットで生産することができる。この場合、２本針片面飾り縫いにより縫製するが、２本針片面飾り縫いにおける振り糸は細幅テープ状物とは反対側のひだ付きテープの裏面に現われるようにしているので、細幅テープ状物の意匠（色、柄など）が振り糸により隠れてしまうことがない。
【００１８】
この装飾用テープもひだ付きテープの中央部分に塑性変形性プラスチック製のテープまたは線材を芯として細幅テープ状物を縫着したので、非常に立体的な装飾用テープとなる。
【００１９】
本考案の装飾用テープは、塑性変形性プラスチック製の線材またはテープを具備しているので、装飾用テープを被縫着物に縫い付けた後、装飾用テープの形状を変化させ、すなわち、塑性変形性プラスチック製の線材またはテープの形状を変化させると、被縫着物をその変化させた形状のままとすることができる。しかも、本考案の装飾用テープを被縫着物に縫い付ける場合、塑性変形性プラスチック製の線材またはテープが装飾用テープの幅方向の中央部分に位置しているので、衣服や小物類に縫い付けるのが容易である。
【００２０】
本考案の装飾用テープに使用するひだ付きテープ状物は、特許文献１のものとは異なって、予めひだがミシン目で固定されているので、ひだの形状、状態が安定している。また、他のテープ状物と縫合わせる際も、ひだ付きテープ状物の長さが変ったりしないので、縫合わせ易い。
【考案を実施するための最良の形態】
【００２１】
以下、図面に基いて本考案の装飾用テープを詳細に説明する。図１は本考案の装飾用テープの一実施例の使用状態を示す斜視図である。図２は線材をテープ状物の側縁に縫着した箇所を説明するための模式的な拡大断面斜視図である。図３はテープ状物と線材とを縫着する前の位置関係の種々の態様を示す模式的な説明図である。
【００２２】
本考案の装飾用テープ１は複数枚のテープ状物２と塑性変形性プラスチックからなる線材３とから構成されるものである。複数枚のテープ状物２は２枚でもよいが、図１に示した実施例のように、３枚以上であると立体的な装飾用テープとなるので好ましい。装飾用テープを構成する生地は通常の織物生地でもよいし、レース生地でもよいし、或いは予めテープ状物にひだを寄せたものでもよい。また、各テープ状物２は同じ素材、同じ色合いでもよいが、変化をつけるために色彩を変えたり、生地の素材を変えたりすることが好ましい。
【００２３】
図１に示した実施例では、外側のテープ状物２１がレース生地であり、真中のテープ状物２２がひだを有するものであり、別の外側のテープ状物２３が別のレース生地からなるものである。
【００２４】
本考案の装飾用テープにおいて、ひだを有するテープ状物２を使用すると、得られた装飾用テープが立体的になるので好ましい。ひだを有するテープ状物２はひだ取り縫いによりひだがミシン目で固定されたものが好ましい。このようなひだを有するテープ状物２はひだ取り器（ラフラー）を取付けたミシンにより製作できる。
【００２５】
本考案の第１実施例においては、図２に示したように、各テープ状物２１、２２、２３は、その一側縁２ａが直線状となっているものであり、他の側縁は直線状或は図１に示したような凹凸があるものであってもよい。これらのテープ状物２１、２、２３は、その直線状の側縁２ａが揃えられた状態で重ねられ、直線状側縁２ａに沿って塑性変形可能なプラスチック製線材３がオーバーロックミシンにより縫着される。
【００２６】
塑性変形可能なプラスチック材料は、ポリオレフィン系のプラスチック（例えば、高密度ポリエチレン）のワイヤーなどが知られている。一例として、三井化学株式会社が「テクノロート」（登録商標）として市販しているものがあり、本考案における線材３として利用することができる。この線材３の太さは０．４〜１．３ｍｍ程度のものを使用することが好ましい。線材３が細過ぎる場合は、ほんの僅かな力が掛かっても変形してしまい、形状保持性が悪くなってしまう。太過ぎる場合は、テープ状物の側縁に縫着し難く、また、変形し難いので、衣服などの被縫着物に装飾用テープとして縫い付けた場合に、装飾用テープを変形させ難くなる。
【００２７】
図３は各テープ状物２１、２２、２３と線材３との縫着する前の位置関係を示すものであり、図３（ａ）は直線状の側縁２ａに沿った状態で線材３が配置され、図３（ｂ）はテープ状物２の直線状の側縁部２ｂに線材３が接している状態である。図３（ｃ）はテープ状物２の直線状の側縁部２ｂが線材３を部分的に巻付いている状態を示している。図３（ｄ）はテープ状物２の直線状の側縁部２ｂが線材３を完全に巻込んでいる状態を示している。
【００２８】
なお、複数枚のテープ状物２１、２２、２３はそれらの直線状側縁２ａを揃えて重ね合せてオーバーロックミシンに送り込むが、テープ状物としてひだを有するものなどを使用した場合は厚みがあるので、それらの直線状側縁２ａが完全に一致せず少しズレが生じることがある。このような場合でも複数枚のテープ状物２の全ての直線状の側縁部２ｂがオーバーロックミシンの縁かがり縫いで縫われるならば多少のズレは問題とならない。例えば、図３（ｄ）では、全てのテープ状物２１、２２、２３が線材３を包んでいるが、テープ状物の１枚が図３（ｄ）に示すような状態で、他のテープ状物は図３（ｂ）や図３（ｃ）のような状態であってもよい。
【００２９】
複数枚のテープ状物２に線材３を縫いつけるのはオーバーロックミシンを使用する。図２は、１本針３本糸のオーバーロックミシンによって針糸４、上ルーパー糸５および下ルーパー糸６による通常の縁かがり縫いにより線材３が３枚のテープ状物テープ２１、２２、２３の側縁２ａに縫着された状態を模式的に示している。図２は通常の縁かがり縫いであり、糸と糸の間から線材３が見えるように描かれているが、好ましくは、通常の縁かがり縫いよりも針糸１のステッチ数を多くし、ルーパー糸５、６を密にして縫着し、線材３が外部から見えないようにする。すなわち、オーバーロックミシンによる通常の縁かがり縫いの場合は１８針／３ｃｍ（薄地）〜１２針／３ｃｍ（厚地）であるが、好ましくは、針糸のステッチ数は１ｃｍ当り１７〜２０針、特に好ましくは１８〜１９針、である。
【００３０】
図２に示した縁かがり縫いにおいては、上ルーパー糸５と下ルーパー糸６の糸同士が同じように張力調整されており、中央で出会うようにしているものであるが、このような通常の縁かがり縫いではなく、下糸張力を強くして上ルーパー糸を裏側に引き込ませたような巻き縫いとしてもよい。
【００３１】
また、縫着する際に使用する縫い糸は特に限定されないが、好ましくはウーリーナイロンのような捲縮加工した糸をルーパー糸に使用すると、捲縮加工した糸が嵩高であるので、線材３の表面を被覆するのに適している。
【００３２】
図１および図２に示したものは、テープ状物２が３枚のものであるが、薄い生地のものを４枚、５枚使用して装飾用テープとすると、図１に示すように外側になるテープ状物を拡げて被縫着物に縫い付けると、中間のテープ状物が外方に突出し、立体的な感じが強くでる。
【００３３】
図４はオーバーロックミシンの一例を示しており、図示したミシンは本考案の第１実施例の装飾用テープを製造するために通常のオーバーロックミシンとは異なる部材が取付けられている。すなわち、オーバーロックミシンの針１１の手前側にテープ・線材ガイド１３が設けられている。図５はテープ・線材ガイド１３の一例を示す断面図であり、図５に示すように、テープ・線材ガイド１３はテープ案内部１３ａおよび線材案内部１３ｂを有している。テープ案内部１３ａは複数枚のテープ状物２をそれらの直線状側縁が揃った状態で案内する。なお、図５ではテープ案内部１３ａが１つであるが、各テープ状物の幅が異なっている場合などは、それぞれのテープ状物２を案内するために、テープ案内部１３ａを複数個設けておくことが好ましい。
【００３４】
図６は本考案の第１実施例の装飾用テープを製造するための布押え１２の一例の斜視図である（なお、図４においては布押さえ支持部材は省略して描かれている）。布押え１２は通常のオーバーロックミシンの布押えと異なって、下側に巻込んだ形状のテープ・線材ガイド１２ａと針落ち位置に凹部１２ｂが設けられている。布押え１２のテープ・線材ガイド１２ａにより複数枚のテープ状物２および線材３が案内されて、図３（ａ）〜（ｄ）に示すような位置関係で凹部１２ｂにおいて針１１および上下ルーパー（図示せず）の糸４、５、６により線材３が細幅テープ２の側縁部に縫着される。
【００３５】
更に、ミシンの後側には２つのローラ１４、１５からなる引取りローラが設けられており、縫製された装飾用テープ１が引取りローラ１４、１５により積極的に一定速度で引取られる。また、手前側にも送り出しローラを設けておき、そこに接触させるようにして複数枚のテープ状物２または線材３を送り出すようにしてもよい。
【００３６】
図７は本考案の装飾用テープの別の実施例を示す平面図であり、図７（ａ）は装飾用テープの表側を示し、図７（ｂ）は装飾用テープの裏側、すなわち、被縫着物に接する側、を示す。
【００３７】
この第２実施例の装飾用テープは、ひだを有するテープ状物２４と、このひだ付きテープ状物２４の幅よりも細幅のテープ状物２５と、細幅のテープ状物２５よりも、幅の狭い塑性変形性プラスチック製テープ３１または直径の小さい塑性変形性プラスチック製線材とから構成される。
【００３８】
幅の狭い塑性変形性プラスチック製テープ３１は厚みが０．２〜０．５ｍｍ程度、幅が１〜１０ｍｍ程度のものを使用することが好ましい。テープ状の塑性変形性プラスチック材料は、例えば積水化学株式会社から「フォルテ」（登録商標）として市販されているものを使用すればよい。
【００３９】
また、塑性変形性プラスチック製線材は第１実施例において説明したように直径が、０．４〜１．３ｍｍ程度のものを使用することが好ましい。
【００４０】
ひだ付きテープ状物２４は、細幅のテープ状物２５を縫着するに先だって、予めひだがミシン目（ひだ取り縫い）で固定されているものを使用する。ひだを有するテープ状物２４はひだ取り器（ラフラー）を取付けたミシンにより製作でき、ひだの形状は種々に変えることができる。
【００４１】
図７（ａ）に示すように、ひだ付きテープ状物２４の中央部分において細幅テープ状物２５が塑性変形性プラスチック製テープ３１または線材を覆っており、すなわち、塑性変形性プラスチック製テープ３１はひだ付きテープ状物２４と細幅テープ状物２５の間に挟まれている。そして、この状態で細幅テープ状物２５は２本針二重環縫いミシンにより２本針片面飾り縫いでひだ付きテープ状物２４に縫着されている。細幅テープ状物２５の両側縁部が２本針片面飾り縫いにおける針糸４１、４２によりひだ付きテープ状物２４に縫着されている。図７（ｂ）に示すように、２本針片面飾り縫いにおける振り糸４３がひだ付きテープの裏面に現われている。
【００４２】
第２実施例の装飾用テープはひだが装飾用テープの両側にあるので、華やかで立体的である。また、ひだ付きテープ状物２４の色、素材、ひだの形状などを変えたり、細幅テープ状物２５の色、素材を変えることにより、非常に多種類の装飾用テープを小ロットで簡単に製造できる。
【図面の簡単な説明】
【００４３】
【図１】本考案の装飾用テープの第１実施例の使用状態を示す斜視図である。
【図２】線材をテープ状物の側縁に縫着した箇所を説明するための模式的な拡大断面斜視図である。
【図３】テープ状物と線材とを縫着する前の位置関係の種々の態様を示す模式的な説明図である。
【図４】本考案の第１実施例の装飾用テープを製造するためのオーバーロックミシンの一例の斜視図である。
【図５】図４に示したミシンにおけるテープ・線材ガイドの一例の断面図である。
【図６】図４に示したミシンにおける布押えの一例の斜視図である。
【図７】本考案の装飾用テープの別の実施例を示す平面図であり、図７（ａ）は装飾用テープの表側を示し、図７（ｂ）は装飾用テープの裏側を示す。
【符号の説明】
【００４４】
１  装飾用テープ
２、２１、２２、２３  テープ状物
２４  ひだを有するテープ状物
２５  細幅テープ状物
２ａ  テープ状物の直線状側縁
３  塑性変形性プラスチック製線材
３１  塑性変形性プラスチック製テープ
４  オーバーロックミシンの針糸
４１、４２  ２本針二重環縫いミシンの針糸
４３  ２本針二重環縫いミシンの振り糸
５、６  オーバーロックミシンのルーパー糸
１２  布押え
１３  テープ・線材ガイド
１４、１５  引取りローラ
【図１】
0003127172.tif 000003
【図２】
0003127172.tif 000004
【図３】
0003127172.tif 000005
【図４】
0003127172.tif 000006
【図５】
0003127172.tif 000007
【図６】
0003127172.tif 000008
【図７】
0003127172.tif 000009